(57)【要約】【課題】非選択期間に印加される電圧による表示反転を低減し、バーコードの読み取り精度を向上させることのできる液晶表示装置を提供する。【解決手段】本発明の液晶表示装置はバーコード表示部分の走査電極を検出できる検出手段３を有しており、表示パネル１内のどの領域にバーコードを表示するのかを判別可能である。また上記検出手段３で検出された以外の走査電極に順次電圧を印加して表示状態を決定した後、バーコード部分の走査電極に順次あるいは同時に電圧を最後に印加することにより、バーコードを表示品質を向上し、バーコードの読み取り精度を向上させることができる。【選択図】図１
2009223090.tif 000002
【特許請求の範囲】
【請求項１】
一対の基板間に複数の走査電極と、信号電極とを備え、メモリ性液晶を挟持した液晶表示装置において、
表示領域は、バーコードを表示するバーコード表示部を有し、
前記複数の走査電極のうち、前記バーコード表示部における前記走査電極の走査される順番を最後にする制御回路を備えたことを特徴とする液晶表示装置。
【請求項２】
さらに前記走査電極と前記信号電極へ電圧を印加するコントローラーとを備え、
前記複数の走査電極のうち、バーコード表示部の前記走査電極を検出する検出手段を有し、前記検出手段によって検出された前記走査電極の位置情報により、前記コントローラーから前記バーコード表示部における前記走査電極へ電圧が印加されることを特徴とする請求項１に記載の液晶表示装置。
【請求項３】
前記メモリ性液晶はスメクチック液晶であることを特徴とする請求項１または２に記載の液晶表示装置。
【請求項４】
前記スメクチック液晶は強誘電性液晶であることを特徴とする請求項３に記載の液晶表示装置。
【請求項５】
前記バーコード表示部の前記走査電極は複数であり、前記バーコード表示部における前記複数の走査電極は順次電圧が印加されることを特徴とする請求項１から４のいずれか１項に記載の液晶表示装置。
【請求項６】
前記バーコード表示部の前記走査電極は複数であり、前記バーコード表示部における前記複数の走査電極は同時に電圧が印加されることを特徴とする請求項１から４のいずれか１項に記載の液晶表示装置。
【請求項７】
前記バーコード表示部の前記走査電極は一つであり、前記一つの走査電極が最後に走査されることを特徴とする請求項１から４のいずれか１項に記載の液晶表示装置。
【発明の詳細な説明】
【技術分野】
【０００１】
本発明はメモリ性を有する強誘電性液晶を内蔵した液晶表示装置に関するもので、さらに詳しくは、バーコード表示部分の表示特性を向上させるための液晶表示装置の構造に関するものである。
【背景技術】
【０００２】
従来から、ドットマトリックスで構成された画素を使用することにより光を透過あるいは非透過にすることにより黒表示と白表示を縦長の表示を作り出し、バーコードを表示させることのできる液晶表示装置が知られている。
【０００３】
メモリ性液晶を用いたメモリ性液晶パネルは、一度電圧を印加して、表示の書き込みを行えば、その後電圧を印加しなくとも表示を維持することができるため、バーコード表示を行う液晶表示装置として有用な表示装置である。このメモリ性液晶として、強誘電性液晶を用いたバーコード表示装置などが知られている（例えば特許文献１。）。
【０００４】
このメモリ性液晶として強誘電性液晶を用いた表示パネルについて、以下説明を行う。図２は強誘電性液晶を内蔵した表示パネルを説明するため、表示パネルの断面を模式的に示す図である。図２において、７はガラス基板、８は透明電極、９は無機配向膜、１０は強誘電性液晶、１１はスペーサーである。
【０００５】
ガラス基板７には透明電極８が形成されている。この透明電極８は、ガラス基板７にＩＴＯ（Ｉｎｄｉｕｍ  Ｔｉｎ  Ｏｘｉｄｅ：酸化インジウムスズ）の膜を形成し、所定の形状にフォトリソグラフィー技術を用いてパターンニングを行って形成したものである。透明電極８の上にＳｉＯ（Ｓｉｌｉｃｏｎ  Ｏｘｉｄｅ：酸化ケイ素）等の無機化合物の配向膜９を真空蒸着法等で作成した。
【０００６】
図２のように、透明電極８と配向膜９を形成した一対のガラス基板７を対向させて２つ合わせ、その間に強誘電性液晶１０を挟んでいる。セルギャップと呼ばれる配向膜９間の距離を一定に保つために、この２枚のガラス基板７の間に加圧等で変形しないスペーサー１１を適当な数だけ配設する。
【０００７】
次に表示パネルの駆動方法について説明する。表示パネルを駆動方法により分類すると、スタティック駆動方法と時分割駆動方法とがある。単純なセグメント型の表示パネルは、通常、スタティック駆動方法がもちいられ、各セグメントは個別に駆動回路をもち独立かつ同時に駆動される。しかし、セグメント数の多いセグメント型やマトリックス型では時分割駆動方法によって表示を行っている。
【０００８】
時分割駆動をおこなう場合の表示パネル１に電極として形成されているＩＴＯのパターン例を図３に示す。１２は走査電極（ＣＯＭ１〜ＣＯＭｎ）群、１３は信号電極（ＳＥＧ１〜ＳＥＧｎ）群、１４は１行１列のドット画素、１５は1行2列のドット画素である。
【０００９】
この場合、各ドット画素に電極が存在しているのではなく走査電極群１２すなわちＣＯＭ1〜ＣＯＭnと信号電極群１３すなわちＳＥＧ１〜ＳＥＧnというように上下のガラス基板で縦、横に電極が分割されており、１ライン毎に例えばＣＯＭ１、ＣＯＭ２、・・・へと、走査側駆動ＩＣから走査側電圧波形として電圧が順次印加され、それに同期した信号側電圧波形が、同様に信号側駆動ＩＣからＳＥＧ１〜ＳＥＧnへと並列に印加される。なお、信号側電圧は画素に表示される内容に応じた信号波形が出力する。
【００１０】
ここで、強誘電性液晶の電気光学効果について説明する。図４は強誘電性液晶の透過率と電圧の特性図である。強誘電性液晶は２つの安定状態を持ち、その２つの安定状態はある閾値を超えた電圧を印加することによって状態が切り替わり、印加電圧の極性によって第１の安定状態あるいは第２の安定状態を選択することができる。
【００１１】
強誘電性液晶のようなメモリ性を有する液晶では、電圧印加前、液晶分子は第１の安定状態または第２の安定状態のいずれか片方に位置しており、電圧が印加されないかぎりこの状態を保持することができる。
【００１２】
図４を例に説明する。初めどちらかの安定状態にであった液晶分子は、印加電圧を徐々に上げて行くとＶ１になったところで第１の安定状態に切り替わり始め、Ｖ２に達したところですべての液晶分子が第１の安定状態になる。その後Ｖ２から徐々に電圧を下げていくと、Ｖ３になるまでは液晶分子は第１の安定状態のままであるが、印加電圧がＶ３よりも大きくなったところで液晶分子が第２の安定状態に切り替わり始める。更に印加電圧がＶ４に達するとすべとの液晶分子が第２の安定状態になる。よって、印加電圧が０となる電圧無印加時には、第１の安定状態か第２の安定状態のどちらかが維持される。そして、表示状態を逆にするためには閾値以上の逆極性の電圧を印加する必要がある。
【００１３】
強誘電性液晶は、閾値以上の異なる極性の電圧を印加すると図５に示すように層法線からチルト角θだけ傾いた２つの安定状態のみをとることができる。ここで、１６は液晶分子、図５中の矢印は自発分極の向きである。つまり、閾値以上の電圧を印加すると片方の安定状態からもう一方の安定状態になることで液晶分子１６の光軸は２θ変化する。このときの入射光量と透過光量の関係は以下の数式になる。
【００１４】
Ｉｏｕｔ＝Ｉｉｎ＊Ｓｉｎ２（２θ）＊Ｓｉｎ２（πΔｎｄ／λ）
【００１５】
上記数式においてＩｉｎは入射光量、Ｉｏｕｔは透過光量、Δｎは液晶分子の複屈折率異方性、ｄはセルギャップ、λは入射波長である。
【００１６】
図６に示すように、上偏光板１７と下偏光板１８との二枚の偏光板の偏光軸が９０°で交差する配置のとき、どちらか一方の安定状態時の液晶分子方向（図６では、第２の安定状態の液晶分子方向）を片方の偏光板（図６では下偏光板）の偏光軸と一致させると、θ＝０、すなわち透過光量は０となり、光は透過せず液晶表示装置は黒表示となる。一方、液晶分子が動作する閾値以上の電圧を印加すると、液晶分子方向は、第１の安定状態となり、２θ変化して光は透過し白表示となる。このとき、２θの角度が２２．５度になるように液晶分子を配向させると、透過光量が最大となる。
【００１７】
図３で図示した１行１列のドット画素１４を白表示、２行１列のドット画素１５を黒表示とする駆動方法について図７を用いて説明する。ここでは、第１の安定状態を白表示、第２の安定状態を黒表示となるように偏光板を配置した場合を例にとって説明する。
【００１８】
図７は、一般的な強誘電性液晶を駆動するための走査側電圧波形と信号側電圧波形、および画素に印加する合成電圧波形を示している。強誘電性液晶を用いた液晶表示装置を駆動させるためには図７のようなリセットパルス駆動を用いるのが一般的である。
【００１９】
図７のＴＰ１、ＴＰ２は、図３中の走査電極ＣＯＭ１、走査電極ＣＯＭ２に印加される走査側電圧波形、ＳＧ１は図３中の信号電極ＳＥＧ１に印加される信号側電圧波形、ＴＳ（１，１）は１行１列のドット画素に印加される走査電極側電圧波形ＴＰ１と信号電極側電圧波形ＳＧ１との合成電圧波形、ＴＳ（２，１）は２行１列のドット画素に印加される
走査電極側電圧波形ＴＰ２と信号電極側電圧波形ＳＧ１との合成電圧波形、ＶＲＴはリセット電圧、ＶＳは選択電圧、ＶＤは信号電圧、ＲＳはリセット期間、ＳＥ１、ＳＥ２は選択期間、ＮＳＥ１は非選択期間である。
【００２０】
リセット期間ＲＳでは、表示状態を決定する前に閾値電圧よりも十分大きな電圧をドット画素に印加し、第１または第２のどちらか一方の安定状態に液晶分子をそろえる。図７では、リセット期間ＲＳでは、全ての走査電極に走査側電圧波形ＴＰ１、ＴＰ２で示すようなリセット電圧±ＶＲＴの双極性パルスが印加される。同時に、全ての信号電極に信号側電圧波形ＳＧ１で示すような信号電圧±ＶＤの双極性パルスが印加される。これにより、リセット期間ＲＳの後半部では、リセット電圧と信号電圧の差分の電圧−（ＶＲＴ＋ＶＤ）が全ての画素に印加され、全ての画素は、図４の閾値電圧Ｖ４を超え、第２の安定状態すなわち黒表示となる。
【００２１】
その後、各ドット画素の選択期間ＳＥｎ（ｎは走査電極の位置番号を示す。図７のＴＰ１では、ＳＥ1のようにｎ＝１となる。）において、リセット期間での状態を保持するか、もう一方の安定状態に動作するかを選択する。
【００２２】
図７では、選択期間ＳＥ１において、走査側電圧波形ＴＰ１における選択電圧±ＶＳの双極性パルスが印加され、信号電極ＳＥＧ１に、信号電圧±ＶＤの双極性パルスが印加される。これにより、選択期間ＳＥ１の後半部では、選択電圧と信号電圧の差分の電圧＋（ＶＳ＋ＶＤ）が合成電圧波形ＴＳ（１，１）として、図３におけるドット画素１４に印加され、図４の閾値電圧Ｖ２を超え、ドット画素１４は第１の安定状態すなわち白表示となる。
【００２３】
保持期間ＮＳＥ１では、走査側電圧波形ＴＰ１として、電圧ゼロが印加され、信号電極ＳＥＧ１に表示内容に応じた信号電圧±ＶＤの双極性パルスが印加される。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（１，１）で示す通り、保持期間ＮＳＥ１では、信号側電圧波形ＳＧ１がそのまま反映され、±ＶＤの電圧がドット画素１４に印加されるが図４の閾値電圧Ｖ３を超えないので、選択期間ＳＥ１で決定された透過率を維持し、白表示が持続される。
【００２４】
一方、選択期間ＳＥ２では、走査側電圧波形ＴＰ２として、選択電圧±ＶＳの双極性パルスが印加され、信号電極ＳＥＧ１に、信号電圧±ＶＤの双極性パルスが印加される。これにより、選択期間ＳＥ２の後半部では、選択電圧と信号電圧の差分の電圧＋（ＶＳ−ＶＤ）が合成電圧波形ＴＳ（２，１）として、図３におけるドット画素１５に印加されるが、図４の閾値電圧Ｖ１を超えないので、リセット期間ＲＳで決定された透過率を維持し、ドット画素１５は黒表示が持続される。
【００２５】
保持期間ＮＳＥ２では、走査電極ＣＯＭ２に、電圧ゼロが印加され、信号電極ＳＥＧ１に表示内容に応じた信号電圧±ＶＤの双極性パルスが印加される。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（２，１）で示す通り、保持期間ＮＳＥ２では、信号側電圧波形ＳＥＧ１がそのまま反映され、±ＶＤの電圧がドット画素１５に印加されるが図４の閾値電圧Ｖ１を超えないので、リセット期間ＲＳで決定された透過率を維持し、黒表示が持続される。メモリ性液晶パネルの場合は、すべての走査電極群に電圧し、すべてのドット画素への書き込みが終了すると、電圧をＯＦＦにし、ドット画素には電圧が印加されない状態にする。このようにして表示パネルのすべてのドット画素を白表示にするかあるいは黒表示にするか制御している。
【００２６】
このような駆動方法を用いた場合、非選択期間に印加される電圧±ＶＤは閾値以下なので、１回の電圧±ＶＤの印加では表示状態の変化は見られないが、走査電極の本数が多いと、この電圧±ＶＤが累積して何度も印加されるため、完全に表示状態を維持できないことが生じる。そのため、ドット画素のすべての領域で白または黒の必要な表示状態が行われず、部分的に表示の反転が発生してしまう。そのなかでも、特にスペーサー周辺とドット画素の間のＩＴＯが存在しない領域は反転が顕著に現れる。
【００２７】
さらにこの駆動方法では電圧を印加していく順序によっても表示反転の程度は異なる。例えば走査電極ＣＯＭ１〜ＣＯＭｎの順に順次電圧を印加していく場合を考える。走査電極ＣＯＭ１によって電圧を印加されるドット画素は、最初の選択期間ＳＥ１において電圧が印加され、白または黒の表示状態を決定する。その後、走査電極ＣＯＭ１上にあるドット画素には、非選択期間において走査電極本数−１回、すなわちこの場合n−1回の電圧±ＶＤが印加されることになる。そのため表示反転が発生しやすいという問題が生じた。
【００２８】
一方、最後に走査される走査電極ＣＯＭｎにより電圧を印加されるドット画素は、非選択期間において走査電極本数−1回の電圧±ＶＤが印可された後に選択期間ＳＥｎで白または黒表示状態が決定する。メモリ性液晶表示パネルでは、すべての走査電極に電圧を印加し、表示の書き込みが終了すると、それぞれの電極に印加される電圧はＯＦＦとなる。そのため選択期間ＳＥｎで電圧＋（ＶＳ＋ＶＤ）が印加されたあと、電圧はＯＦＦとなり、走査電極ＣＯＭｎ上にあるドット画素には、その後は非選択パルスが印加されないため表示の反転は発生しない。
【００２９】
そのため、走査電極ＣＯＭ１により電圧を印加されるドット画素は表示反転してしまう場合が多く、反対に走査電極ＣＯＭｎにより電圧を印加されるドット画素は表示反転が少ない。このように、ドットマトリックスで表示パネルの画素を構成する場合、走査電極の数が増加すると、非選択期間が増加するため表示反転が発生しやすくなるという問題が生じた。
【００３０】
次にバーコードに関して説明する。図８はバーコードの模式図であり、は一般的に図８のように2つのエレメントで構成されている。１９は光の反射率の高いスペース、２０は反射率の低いバーである。この2つのエレメントの配置や太さによって、JANコード等の各種コード体系に従い数値や文字に変換され情報を入出力できるようにしているものである。一般的なバーコードは白と黒で光の反射率の強弱を出しているが、色の組み合わせは反射率の差が出ればこれ以外でもよく例えばスペース部分が白、バー部分が青などでもかまわない。
【００３１】
バーコードを読み取るためにはバーコードリーダーを用いるが、光源の違いによりレーザー式とＣＣＤ式の2種類の方式がある。レーザー式は、レーザーダイオードより発光したレーザー光を回転しているポリゴンミラーに当ててバーコード上をスキャンさせ、その乱反射光をフォトダイオードで受光する。受光した乱反射光をＡ／Ｄ変換しその波形からスペース、バーを判定する。ＣＣＤ式は光源用のＬＥＤをパルス発光させバーコード上に照射させ素の乱反射光をＣＣＤイメージセンサーで画像として受光する。ＣＣＤイメージセンサー上のバーコード画像データを端から端までスキャンして取得した波形をＡ／Ｄ変換しスペースとバーを判定する。
【００３２】
上記のように、反射率の強弱からバーコードを判定しているため、スペースとバーの反射率の差が少ないと当然バーコードの判別が困難になる。また、スペースとバーの寸法が規定値よりも太くなっている、または細くなっている場合は、デコードできないあるいは誤ったデータと認識してしまう。当然ながら、これらの現象は紙に印刷したバーコードだけではなく表示パネルにバーコードを表示させ読み取る場合も同様である。そのため表示
パネルは高いコントラストが必要であり、且つ表示欠陥が少ないことが要求される。
【００３３】
前述した強誘電性液晶の駆動方法では走査電極に順次電圧が印加されるので、非選択期間に印加される電圧により画素内に局所的に表示の反転が発生する。つまり、ドットマトリクスでバーコードを表示させる場合、バーコードを表示する位置によっては画素内の表示反転が起こり、バーコード表示がきちんと表示されずにバーコードの読み取り精度を低下させてしまう。例えば、本来黒表示にするべきバーコードのバーの部分に白表示が混ざっていると、一本のエレメント内の反射率にバラツキが生じる。これらは、シミ、カケなどの表示欠陥となり、特に読み取りスポット径の小さいレーザー式のバーコードリーダーの場合、読み取り精度を大きく低下させる。また、表示パネル内でバーコードを表示している画素全体に局所的な表示反転が多数発生していると、バーコードの白黒のコントラスト低下につながり、読み取りが困難になってしまう。さらに前述したとおり表示反転は画素間の近傍に顕著に発生するため、バーコードのスペース及びバーのエレメント寸法が所望の値から外れてしまいデコードが困難になる。
【００３４】
以上のように、非選択期間に印加される電圧による表示状態の反転が、バーコードの読み取り精度に大きく影響をおよぼすという問題が発生していた。
【００３５】
【特許文献１】特表２００５／０６２１０９号公報（第６−８頁、図１）
【発明の開示】
【発明が解決しようとする課題】
【００３６】
液晶表示装置にバーコードを表示させ、それをバーコードリーダーで読み取りをさせるためには、表示品質に十分注意する必要がある。一般的に液晶表示装置に表示されたバーコードは紙に印字されたバーコードと比較する読み取り精度が低く、読み取り精度を上げるためには、バーコードシンボルのコントラスト、バー、スペースの寸法精度、表示欠陥の有無が重要である。
【００３７】
前述したように、メモリ性のある強誘電性液晶を使用したドットマトリックス画素の表示パネルを備えた液晶表示装置において、一般的に用いられている駆動方法では非選択期間に各画素に印加される電圧のために表示状態が反転する現象が発生する。これが、例えば黒表示のドット画素に発生すると、反転して白表示になってしまう。このような反転が多く存在すると、バーコードに読み取り精度を低下させてしまう。そのため、バーコード表示部の表示品質を損ねない最適な駆動方法が必要である。
【課題を解決するための手段】
【００３８】
本発明では、一対の基板間に複数の走査電極と、信号電極とを備え、メモリ性液晶を挟持した液晶表示装置において、表示領域は、バーコードを表示するバーコード表示部を有し、複数の走査電極のうち、バーコード表示部における走査電極の走査される順番を最後にする制御回路を備えたことを特徴とする。
【００３９】
さらに走査電極と信号電極へ電圧を印加するコントローラーとを備え、複数の走査電極のうち、バーコード表示部の走査電極を検出する検出手段を有し、この検出手段によって検出された走査電極の位置情報により、コントローラーからバーコード表示部における走査電極へ電圧が印加されることを特徴とする。
【００４０】
メモリ性液晶はスメクチック液晶であることが好ましい。また、スメクチック液晶は強誘電性液晶であることを特徴とする。
【００４１】
バーコード表示部の走査電極は複数であり、バーコード表示部における複数の走査電極は、順次電圧が印加されることを特徴とする。または、バーコード表示部の前記走査電極は複数であり、バーコード表示部における複数の走査電極は、同時に電圧が印加されることを特徴とする。また、バーコード表示部の走査電極は一つであり、この一つの走査電極が最後に走査されることを特徴とする。
【発明の効果】
【００４２】
バーコード表示部の走査電極には、非選択期間において電圧が印加される回数を減らし、バーコード表示領域のドット画素内の表示反転を極力抑え、バーコードの表示箇所の自由度を奪うことなく、バーコード表示部の表示品質を向上させることができる。そして、バーコードの読み取り精度を向上させることを可能とする。
【発明を実施するための最良の形態】
【００４３】
以下、本発明にかかる実施形態について図を用いて説明するが、この発明は以下の実施形態に限定されるものではない。また、本実施形態では、強誘電性液晶素子を用いたメモリ性液晶表示装置を例に説明する。本実施形態に用いたメモリ性液晶表示パネルは、図２から図６で図示したような従来の表示パネルの構成や、従来のドットマトリクスの時分割駆動方法を採用することができる。
【００４４】
図１は本実施形態の液晶表示装置の構成を示す図である。図１における１はバーコード等を表示させる表示パネル。２はＣＰＵ、ＲＯＭ、ＲＡＭなどを搭載した制御回路、３はバーコード表示部を検出する検出手段。４は走査電極を制御する走査側駆動ＩＣ、５は信号電極を制御する信号側駆動ＩＣ、６は表示データを格納する記憶手段である。以下順に説明する。
【００４５】
表示パネル１内の任意の場所にバーコードを表示させる場合において、バーコードの表示を行う走査電極を検出する検出手段３を備えている。以下図を用いてバーコード部分の検出方法を説明する。
【００４６】
図９はバーコードを表示する場合の表示パネルの電極構成を示した概略図である。２１はバーコードを表示するバーコード表示部の走査電極、２２〜２５はドット画素である。ここでは、ＣＯＭ１〜ＣＯＭｎの走査電極群１２のうちＣＯＭａ〜ＣＯＭｂまでの走査電極群２１にバーコードを表示する場合を例に説明する。ただし、図９ではＳＥＧ１〜ＳＥＧ５まで信号電極を図示したがバーコード表示部はバーコードの左右の何も表示されていない領域も含めＳＥＧ１〜ＳＥＧｍまで続いているものとする。
【００４７】
図１０は、図９のバーコード表示を行うときの走査側、信号側の各電極に印加される電圧波形である。図１０のＴＰa、ＴＰbは、図９の走査電極ＣＯＭａ、走査電極ＣＯＭｂに印加される走査側電圧波形、ＳＧ１は図９の信号電極ＳＥＧ１に印加される信号側電圧波形、ＳＧ２は図９の信号電極ＳＥＧ２に印加される信号側電圧波形、ＶＲＴはリセット電圧、ＶＳは選択電圧、ＶＤは信号電圧、ＲＳはリセット期間、ＳＥａ、ＳＥａ、ＳＥｂ、ＳＥｎは選択期間、ＮＳＥａ、ＮＳＥｂは非選択期間である。
【００４８】
まず図９のドット画素２２について説明する。ドット画素２２は、走査電極ＣＯＭａと信号電極ＳＥＧ１により表示状態が決定される。図１０の選択期間ＳＥａにおいて、走査側電圧波形ＴＰａとして選択電圧±ＶＳの双極性パルスが印加され、信号電極ＳＥＧ１に、信号側電圧波形ＳＧ１として信号電圧±ＶＤの双極性パルスが印加される。これにより、選択期間ＳＥａの後半部では、選択電圧と信号電圧の差分の電圧＋（ＶＳ＋ＶＤ）がドット画素２２に印加され、図４の閾値電圧Ｖ２を超え、第１の安定状態すなわち白表示となる。
【００４９】
次に図９のドット画素２３について説明する。ドット画素２３は、走査電極ＣＯＭｂと信号電極ＳＥＧ１により表示状態が決定される。図１０の選択期間ＳＥｂでは、走査側電圧波形ＴＰｂとして、選択電圧±ＶＳの双極性パルスが印加され、信号電極ＳＧ１には、信号側電圧波形ＳＧ１として信号電圧±ＶＤの双極性パルスが印加される。これにより、選択期間ＳＥｂの後半部では、選択電圧と信号電圧の差分の電圧＋（ＶＳ＋ＶＤ）がドット画素２３に印加され上記と同様に第１の安定状態すなわち白表示となる。
【００５０】
次に図９のドット画素２４について説明する。ドット画素２４は、走査電極ＣＯＭａと信号電極ＳＥＧ２により表示状態が決定される。図１０の選択期間ＳＥａにおいて、走査側電圧波形ＴＰａとして選択電圧±ＶＳの双極性パルスが印加され、信号電極ＳＥＧ２には、信号側電圧波形ＳＧ２として信号電圧±ＶＤの双極性パルスが印加される。これにより、選択期間ＳＥａの後半部では、選択電圧と信号電圧の差分の電圧＋（ＶＳ−ＶＤ）がドット画素２４に印加され、図４の閾値電圧Ｖ１を超えないので、リセット期間ＲＳで決定された透過率を維持し、黒表示が持続される。
【００５１】
次に図９のドット画素２５について説明する。ドット画素２５は、走査電極ＣＯＭｂと信号電極ＳＥＧ２により表示状態が決定される。図１０の選択期間ＳＥｂにおいて、走査側電圧波形ＴＰｂとして、選択電圧±ＶＳの双極性パルスが印加され、信号電極ＳＥＧ２に、信号側電圧波形ＳＧ２として信号電圧±ＶＤの双極性パルスが印加される。これにより、選択期間ＳＥｂの後半部では、選択電圧と信号電圧の差分の電圧＋（ＶＳ―ＶＤ）がドット画素２５に印加され上記と同様に第１の安定状態すなわち黒表示となる。
【００５２】
つまり、バーコード表示を行う領域の信号側電圧波形ＳＧ１は走査電極ＣＯＭａ〜ＣＯＭｂに対応する選択期間ＳＥａ〜ＳＥｂの間は同様の出力波形となっている。
【００５３】
ＳＧ１〜ＳＧｍまでの信号側電圧波形が、選択期間ＳＥ１〜ＳＥnのどの部分で同様な波形になっているか判定することで、バーコード表示部が、どの走査電極により構成されて、電圧が印加されているか検出することが可能である。このように、選択期間ＳＥ１〜ＳＥnのどの部分で同様な波形になっているか判定する機構を検出手段として液晶表示装置に搭載することで、バーコード表示部の走査電極の位置が検出可能になる。
【００５４】
ただし、背景など広範囲の領域を白または黒に表示する領域がある場合には、バーコード表示部と同じように、ＳＧ１〜ＳＧｍまでの信号側電圧波形が、選択期間で同一の双極性のパルス波形の繰り返しになってしまうことがある。そのような領域が存在する場合は、バーコード部分の走査電極数を外部から設定できる手段をあらかじめ設けておき、バーコード表示部に相当する走査電極数の信号側電圧波形をみることによって、バーコード表示部か、そうではないのか判断することができる。あるいは、バーコード表示部を除く表示領域で広範囲な同じ表示を行うことが、あらかじめ分かっている場合には、その領域を除くように設定しておけばよい。
【００５５】
図１における表示制御回路２は、このような検出手段３の検出結果に応じて、走査側駆動ＩＣ４と信号側駆動ＩＣ５とを制御して各電極に電圧を印加している。
【００５６】
次に本実施形態の駆動波形について、図１１を用いて説明する。バーコード表示部の表示反転を最小限に抑えるため、すべての走査電極ＣＯＭ１から走査電極ＣＯＭｎの中で、図９で図示したバーコード表示部の走査電極２１は、図１１のような電圧を最後に印加する。図１１は図１０と同様に図９のバーコード表示を行うときの走査側、信号側の各電極に印加される電圧波形である。図1１では、最初にすべての走査電極に対して同時にリセット期間を設けている。そして、走査電極ＣＯＭａ〜ＣＯＭｂ以外の走査電極に順次電圧
を印加して表示状態を決定し、最後に走査電極ＣＯＭａ〜ＣＯＭｂに順次電圧を印加する。そのためＳＥａ〜ＳＥｂの選択期間は最後に設定される。このような順序で電圧印加を印加することで、バーコード表示部の表示反転を低減させることができる。
【００５７】
また、別の実施形態について図１２を用いて説明する。図１２では、走査電極ごと順次リセット期間ＲＳを設けている。図１２のＴＰａ、ＴＰｂ、ＳＧ１およびＳＧ２は、図１０および図１１と同様に、図９のバーコード表示を行うときの走査側、信号側の各電極に印加される電圧波形である。図１２のＲＳａ、ＲＳｂはリセット期間であり、その他は図１０と同様である。
【００５８】
図１２のように走査電極ごとに順次リセット期間を設けることで、白または黒のどちらでも表示状態決定後に信号電圧±ＶＤの印加される回数が減り表示反転がより低減できる。特にＣＯＭｂにより電圧を印加されるドット画素には表示状態決定後に電圧は印加されないので表示反転が発生しない。
【００５９】
さらに、別の実施形態について図１３を用いて説明する。図１３では、バーコード表示部の走査電極すべて同時に電圧を印加している。図１３のＴＰａ、ＴＰｂ、ＳＧ１およびＳＧ２は、同様に図９のバーコード表示を行うときの走査側、信号側の各電極に印加される電圧波形である。図１３のＲＳａ−ｂはリセット期間、ＳＥａ−ｂは選択期間、ＮＳＥａ−ｂは非選択期間である。このように、バーコード表示部の走査電極２１に電圧を同時に印加することで、バーコード表示部のドット画素の表示反転が発生せず、良好な表示状態が得られる。また走査電極の本数が擬似的に減少することになり、表示内容を書き換える速度も上昇する。
【００６０】
さらに、別の実施形態について図１４を用いて説明する。図１４では、バーコード表示部の走査電極を１本の走査電極としている。図１４の１００は走査電極群、１０１は信号電極群、１０２はバーコード表示部の共通の走査電極であり、バーコード表示部に同時に電圧を印加できるようにしている。この図１４における走査電極１０２に対して、先の実施形態の図１０から図１３における走査側電極波形ＴＰｂの電圧を走査電極群１００の中で最後に印加する。そうすれば、バーコード表示部のドット画素の表示反転が発生せず、良好な表示状態が得られる。またバーコード表示部の走査電極を共通化することで、走査電極の本数が減少することになり、表示内容を書き換える速度も上昇する。
【００６１】
以上の実施形態では、バーコード表示部の走査電極をすべての走査電極群の中で最後に走査したが、走査電極の総数が多い場合には、バーコード表示部の走査電極を走査したのち、バーコード表示部ではない走査電極が数本ほど走査されたとしても、バーコード表示部の走査電極に印加される非選択期間はわずかで、非選択電圧の影響が少ない。よって、バーコード表示部の走査電極を走査電極群の最後の方に走査するように設定すれば、本実施形態と同様な効果が得られ、必ずしもバーコード表示部の走査を最後、つまり最終順位に設定する必要はない。
【図面の簡単な説明】
【００６２】
【図１】本発明の液晶表示装置を示す図である。
【図２】実施形態で用いた表示パネルの構造を示す断面図である。
【図３】実施形態で用いた表示パネルの電極構成を示す平面図である。
【図４】実施形態で用いた強誘電性液晶の特性を説明するための図である。
【図５】実施形態で用いた強誘電性液晶の特性を説明するための図である
【図６】実施形態で用いた強誘電性液晶の特性を説明するための図である。
【図７】実施形態で用いた強誘電性液晶の駆動方法を説明するための図である。
【図８】バーコードの構造を模式的に示す断面図である。
【図９】本発明の表示パネルの平面図である。
【図１０】本発明に用いられている強誘電性液晶の駆動方法を説明するための図である。
【図１１】本発明に用いられている強誘電性液晶の駆動方法を説明するための図である。
【図１２】本発明に用いられている強誘電性液晶の駆動方法を説明するための図である。
【図１３】本発明に用いられている強誘電性液晶の駆動方法を説明するための図である。
【図１４】実施形態で用いた表示パネルの平面図である。
【符号の説明】
【００６３】
１表示パネル
２表示制御回路
３検出手段
４走査側駆動ＩＣ
５信号側駆動ＩＣ
６記憶手段
７ガラス基板
８透明電極
９無機配向膜
１０強誘電性液晶
１１スペーサー
１２走査電極群
１３信号電極群
１４ドット画素
１５ドット画素
１６液晶分子
１７上偏光板
１８下偏光板
１９スペース
２０バー
２１走査電極
２２〜２５ドット画素
１００走査電極群、
１０１信号電極群
１０２走査電極
【図１】
2009223090.tif 000003
【図２】
2009223090.tif 000004
【図３】
2009223090.tif 000005
【図４】
2009223090.tif 000006
【図５】
2009223090.tif 000007
【図６】
2009223090.tif 000008
【図７】
2009223090.tif 000009
【図８】
2009223090.tif 000010
【図９】
2009223090.tif 000011
【図１０】
2009223090.tif 000012
【図１１】
2009223090.tif 000013
【図１２】
2009223090.tif 000014
【図１３】
2009223090.tif 000015
【図１４】
2009223090.tif 000016